(57)【要約】【課題】プロジェクタの不使用時に容積を小さくして、運搬、保管に便利なようにする。【解決手段】水平方向に横長な箱型をしたプロジェクタであって、筐体を厚さ方向上下に二分し、その下部筐体ｂにランプユニットＡ、光学ユニットＢおよび駆動回路ユニットＣ等を支持させるとともに、その上部筐体ｆを上下動可能に下部筐体ｂに支持にさせ、上部筐体ｆが上昇したとき、上部筐体ｆと各ユニットとの間に放熱用の空間Ｈを形成する。その結果、効率の良い放熱、冷却が行われ、冷却ファンの設置数を少なくすることができるとともに、容積が最小となり運搬、保管に便利になる。【選択図】  図３
2004264388.tif 000002
【特許請求の範囲】
【請求項１】
水平方向に横長な箱型をしたプロジェクタであって、筐体を厚さ方向上下に二分し、その下部筐体にランプユニット、光学ユニットおよび駆動回路ユニット等を支持させるとともに、その上部筐体を上下動可能に下部筐体に支持にさせ、上部筐体が上昇したとき、上部筐体と各ユニットとの間に放熱用の空間を形成することを特徴としたプロジェクタ。
【請求項２】
水平方向に横長な箱型をしたプロジェクタであって、筐体を厚さ方向上下に二分し、その下部筐体にランプユニット、光学ユニットおよび駆動回路ユニット等を支持させるとともに、その上部筐体を上下方向回動可能に下部筐体の一辺に軸支させ、上部筐体が回動して上昇したとき、上部筐体と各ユニットとの間に放熱用の空間を形成することを特徴としたプロジェクタ。
【請求項３】
請求項１または２に記載のプロジェクタにおいて、上部筐体が上昇して下部筐体との間に形成される隙間の内側に下部筐体または上部筺体により支持される
胴部筐体を設けたことを特徴とするプロジェクタ。
【請求項４】
請求項３に記載のプロジェクタにおいて、駆動回路ユニットの発熱部品の上に伝熱シートを介して伝熱板を貼着しその伝熱板の他端を胴部筐体に一体的に接続したことを特徴とするプロジェクタ。
【請求項５】
請求項１乃至４のいずれかに記載のプロジェクタにおいて、上部筐体が上昇するときに駆動回路ユニットを構成する複数層の基板の上下間隔を収縮自在に拡大することを特徴とするプロジェクタ。
【請求項６】
請求項３乃至５のいずれかに記載のプロジェクタにおいて、胴部筐体に通風孔を形成したことを特徴とするプロジェクタ。
【請求項７】
請求項３乃至６のいずれかに記載のプロジェクタにおいて、電源入力用接続端子を胴部筐体部に設け、上部筐体が上昇したとき電源入力用接続端子が露出して電源コードの接続を可能にしたことを特徴とするプロジェクタ。
【請求項８】
請求項１乃至７のいずれかに記載のプロジェクタにおいて、光学ユニットの投射レンズを上部筐体に連動して昇降させ、上昇時に光学ユニットの光軸と投射レンズの光軸を一致させることを特徴とするプロジェクタ。
【発明の詳細な説明】
【０００１】
【発明の属する技術分野】
本発明は、水平方向に横長な箱型をしたプロジェクタに関し、詳しくは不使用時に容積を小さくして、運搬、保管に便利なようにしたプロジェクタに関する。
【０００２】
【従来の技術】
発熱の多い電子機器では、使用時に筐体を開いて内部の発熱を排出し、不使用時には筐体を閉じて、機器を小型にするものがある（特許文献１および特許文献２参照）。しかし、これらは、強制排気用のファンを備えずに、機器本体とほぼ同じ大きさの液晶パネルを上蓋に備えたキーボード装置であるため、これらの構造をそのままプロジェクタに応用することはできなかった。
一般的なプロジェクタは、図２２〜図２５に示されるように、箱型の筐体Ｄの内部にランプユニットＡ、光学ユニットＢ、駆動回路ユニットＣが収納されている。また、発熱部を冷却するため、ランプユニットＡと駆動回路ユニットＣにそれぞれファンａ１，ａ２が配設されている。このファンａ１，ａ２による空気の流れを確保するため、筐体ＤとランプユニットＡの間、および筐体Ｄと駆動回路ユニットＣとの間に空間を形成している。
【０００３】
【特許文献１】
特開平１０−３３３７８２号公報  （図１）
【特許文献２】
特開平１１−３４５０６６号公報  （図２）
【０００４】
【発明が解決しようとする課題】
しかしながら、ユーザの要請として、プロジェクタは使用時はともかく、不使用時には運搬や保管のため、小型であることが望ましく、従来のように、プロジェクタの筐体の内側に冷却用の空間を設けることは、ユーザの小型化の要請に逆行していた。また、プロジェクタは、ノートパソコンと組合わせて営業マンが持ち歩くケースや小会議であちこち移動するケースが多いため小型化が望まれていた。そこで、本発明は、使用時には大きくても、不使用時には小型に縮小可能なプロジェクタを提供することを課題とする。
【０００５】
【課題を解決するための手段】
上記課題を解決するために、請求項１の発明は、水平方向に横長な箱型をしたプロジェクタであって、筐体を厚さ方向上下に二分し、その下部筐体にランプユニット、光学ユニットおよび駆動回路ユニット等を支持させるとともに、その上部筐体を上下動可能に下部筐体に支持にさせ、上部筐体が上昇したとき、上部筐体と各ユニットとの間に放熱用の空間を形成することを特徴とする。それにより、使用時は上部筐体を上昇すると上部筐体と各ユニットとの間に放熱用の空間が形成され使用が可能となり、不使用時は上部筐体を下降すると容積が小さくなり運搬、保管に便利になる。
【０００６】
請求項２の発明は、水平方向に横長な箱型をしたプロジェクタであって、筐体を厚さ方向上下に二分し、その下部筐体にランプユニット、光学ユニットおよび駆動回路ユニット等を支持させるとともに、その上部筐体を上下方向回動可能に下部筐体の一辺に軸支させ、上部筐体が回動して上昇したとき、上部筐体と各ユニットとの間に放熱用の空間を形成することを特徴とする。それにより、使用時は上部筐体を回動して上昇すると上部筐体と各ユニットとの間に放熱用の空間が形成され使用が可能となり、不使用時は上部筐体を回動して下降すると容積が小さくなり運搬、保管に便利になる。
【０００７】
請求項３の発明は、請求項１または２の発明において、上部筐体が上昇して下部筐体との間に形成される隙間の内側に下部筐体または上部筺体により支持される胴部筐体を設
けたことを特徴とする。それにより、使用時に上部筐体が上昇しても、ランプユニット、光学ユニットおよび駆動回路ユニットは胴部筐体に囲まれて保護される。
【０００８】
請求項４の発明は、請求項３の発明において、駆動回路ユニットの発熱部品の上に伝熱シートを介して伝熱板を貼着しその伝熱板の他端を胴部筐体に一体的に接続したことを特徴とする。それにより、駆動回路ユニットの発熱部品の発熱が伝熱シート、伝熱板を介して胴部筐体に効率良く伝導されて排出される。
【０００９】
請求項５の発明は、請求項１乃至４の発明において、上部筐体が上昇するときに駆動回路ユニットを構成する複数層の基板の上下間隔を収縮自在に拡大することを特徴とする。それにより、使用時に上部筐体が上昇すると、駆動回路ユニットの複数基板の上下間隔が拡大され、基板の放熱が効率良く行われる。
【００１０】
請求項６の発明は、請求項３乃至５の発明において、胴部筐体に通風孔を形成したことを特徴とする。それにより、上部筐体が上昇した使用時に、各ユニットの発熱が胴部筐体の通風孔を介して効率良く排出される。
【００１１】
請求項７の発明は、請求項３乃至６の発明において、電源入力用接続端子を胴部筐体部に設け、上部筐体が上昇したとき電源入力用接続端子が露出して電源コードの接続を可能にしたことを特徴とする。それにより、上部筐体が上昇した使用時に、電源入力用接続端子に電源コードを接続すると、電源コードを接続したままでは上部筐体が下降しないため、上部筺体と駆動回路ユニットの絶縁距離が確保されて、感電が防止される。
【００１２】
請求項８の発明は、請求項１乃至７の発明において、光学ユニットの投射レンズを上部筐体に連動して昇降させ、上昇時に光学ユニットの光軸と投射レンズの光軸を一致させることを特徴とする。それにより、投射レンズおよび光学ユニットの占有空間を不使用時に効率良く縮小することが可能となる。
【００１３】
【発明の実施の形態】
以下、図に基づいて本発明の実施形態を説明する。図１〜図７は本発明に係るプロジェクタの第１の実施形態を示し、図１は平面図、図２及び図３は側面図、図４は正面図、図５および図６は後面図、図７は図６を拡大した断面図である。図示されるように、プロジェクタのランプユニットＡ、光学ユニットＢおよび駆動回路ユニットＣを収容する筐体は、上下に二分されて下部筐体ｂと上部筐体ｆとなり、さらにその分割部の内側を覆う胴部筐体ｄとで構成され、胴部筐体ｄは下部筐体ｂにビス止めにより固定・支持されている。上部筐体ｆは下部筐体ｂの正面の一辺で、筐体回転軸受ｈおよび回転軸ｉにより回動自在に支持されている。
【００１４】
また上部筐体ｆの両側面の中程に溝付フックｊがそれぞれ設けられ、下部筐体ｂの同位置に突設された突起ｋが係合されて、上部筐体ｆの回動範囲を制限する。さらに、図示しないが、上部筐体ｆの上昇位置を保持するためのロック機構や、上部筐体ｆを上方に付勢するバネ機構を設けることも可能である。プロジェクタの保管・運搬時すなわち不使用時は、図２、図４、図５に示すように、上部筐体ｆを回動して下降させ下部筐体ｂに当接させてプロジェクタの容積を最小にする。
【００１５】
プロジェクタの使用時は、図３、図６に示すように、上部筐体ｆを回動して上昇させると、下部筐体ｂと離間した部分の内側に、胴部筐体ｄが露出される。同時に、上部筐体ｆが上昇したことで、上部筐体ｆの内側上部に空間Ｈが形成され、プロジェクタの投影時に発生する熱がこの空間Ｈに上昇してくる。上昇した熱気は、上部筐体ｆの側面に形成された通風孔ｇから外部に流出するとともに、冷えた外気が通風孔ｇから内部に流入する。その結果、内部で発生した熱は内部にこもることがなくなり、上部筐体ｆおよび下部筐体ｂが局部的に熱くなることがなくなる。なお、必要な場合は胴部筐体ｄにも、通風孔ｇを設け、放熱を容易にする。
【００１６】
また、この第１の実施形態は、内部の駆動回路ユニットＣの発熱を効率良く排出するため、胴部筐体ｄを放熱板として機能させるようにした。すなわち、図７に示すように、駆動回路ユニットＣを構成する基板ｐ上の発熱体Ｋの上に伝熱シートｖを貼着し、伝熱シートｖの上に胴部筐体ｄに一体接続される伝熱板ｕを貼着する。この伝熱板ｕの一端が胴部筐体ｄに連続しているため、発熱体Ｋの発熱が、伝熱シートｖ、伝熱板ｕを介して胴部筐体ｄに伝導されて効率良く大気に放出される。
【００１７】
次に本発明の第２の実施形態について説明する。図８〜図１２は本発明に係るプロジェクタの第２の実施形態を示し、図８は平面図、図９及び図１０は側面図、図１１および図１２は後面図である。図示されるように、プロジェクタのランプユニットＡ、光学ユニットＢおよび駆動回路ユニットＣを収容する筐体は、上下に二分されて下部筐体ｂと上部筐体ｆとなり、さらにその分割部の内側一周を覆う胴部筐体ｄとで構成され、胴部筐体ｄは下部筐体ｂにビス止めにより固定・支持されている。上部筐体ｆは平行状態を保ちつつ下部筐体ｂにより上下方向摺動自在に支持されている。
【００１８】
また上部筐体ｆの側面の任意箇所に突起ｋが突設され、この突起ｋに対応する位置の胴部筐体ｄに上下方向に形成された溝ｔに、突起ｋが係合されて、上部筐体ｆの上昇範囲を制限する。さらに、上部筐体ｆの内部下側に、上部筐体ｆを上方に付勢するコイルバネｏが装着されている。プロジェクタの保管・運搬時すなわち不使用時は、図９、図１１に示すように、上部筐体ｆを摺動して下降させ下部筐体ｂに当接させてプロジェクタの容積を最小にする。
【００１９】
プロジェクタの使用時は、図１０、図１２に示すように、上部筐体ｆを摺動して上昇させると、下部筐体ｂと離間した部分の内側に、胴部筐体ｄが露出される。同時に、上部筐体ｆが上昇したことで、上部筐体ｆの内部の上方に空間Ｈが形成され、プロジェクタの投影時に発生する熱がこの空間Ｈに上昇してくる。上昇した熱気は、上部筐体ｆの側面に形成された通風孔ｇから外部に流出するとともに、冷えた外気が通風孔ｇから内部に流入する。その結果、内部で発生した熱は内部にこもることがなくなり、上部筐体ｆおよび下部筐体ｂが局部的に熱くなることがなくなる。なお、必要な場合は胴部筐体ｄにも、通風孔ｇを設け、放熱を容易にすることもある。
【００２０】
上述したように第１および第２の実施形態は、不使用時には筐体ｆ，ｂを縮小して容積を小さくすることで、保管・運搬が容易となる。また、使用時には、筐体ｆ，ｂを離間・拡開させることで、内部に放熱空間が形成され、内部発熱の効率よい排出が可能となる。それにより、機器各部の温度がほぼ均一となり、やけどが防止される。さらに、この構成では、少なくとも、駆動回路ユニットＣの冷却ファンを廃止することが可能となり、容積の小型化とファン騒音の軽減が図られる。また、胴部筐体ｄを放熱板として利用することで、駆動回路ユニットＣの発熱が効率良く排出されるため、デバイス部品の長寿命化が図られ機器の耐久性が向上する。
【００２１】
次に本発明の第３の実施形態について説明する。図１３、図１４は本発明に係るプロジェクタの第３の実施形態を示し、上部筐体ｆおよび下部筐体ｂの回動機構は第１の実施形態と同一である。図１３は上部筐体ｆを下降させた不使用時を示す側面図、図１４は上部筐体ｆを上昇させた使用時を示す側面図である。この実施形態では、上部筐体ｆを回動させて上昇させると、駆動回路ユニットＣを構成する複数層の基板のうち上部の基板ｐが、上部筐体ｆに連動して上昇させるようにしたものである。
【００２２】
上部の基板ｐが上昇すると、下部の基板ｑとの間に空間Ｈが形成される。また、その形成された空間Ｈの周囲の胴部筐体ｄにも、通風孔ｇを形成しているため、駆動回路ユニットＣの発熱体Ｋの発熱により発生した熱気は、その空間Ｈ、通風孔ｇを通り外部へ流出し、冷たい外気が通風孔ｇを通り内部へ流入するようになる。特に、この実施形態では、上部筐体ｆおよび下部筐体ｂに通風孔を設けずに、胴部筐体ｄにだけ通風孔ｇを設けるようにしたので、プロジェクタの不使用時に上部筐体ｆを下降させて下部筐体ｂに当接すると、胴部筐体ｄの通風孔ｇが露出されないため、運搬・保管時に異物が筐体内に侵入することを防ぐことができる。
【００２３】
次に本発明の第４の実施形態について説明する。図１５〜図１９は本発明に係るプロジェクタの第４の実施形態を示し、図１５は平面図、図１６及び図１７は側面図、図１８および図１９は後面図である。この実施形態の上部筐体ｆおよび下部筐体ｂの回動機構は第１の実施形態と同一である。この実施形態では、電源入力用接続端子Ｆが胴部筐体ｄの一部に設けられているため、図１７および図１９に示すように、上部筐体ｆを上昇させた使用時には、電源入力用接続端子Ｆが上部筐体ｆと下部筐体ｂの間に露出され、電源プラグＬの接続が可能である。
【００２４】
また、上部筐体ｆを下降させた不使用時には、電源入力用接続端子Ｆが上部筐体ｆに覆われて、電源プラグＬの接続が不可能となる。このように、プロジェクタの使用時にのみ、電源プラグＬの接続が可能となり、しかも、電源プラグＬを電源入力用接続端子Ｆに接続したままでは、上部筐体ｆが電源プラグＬに当たり下降させることが不可能となる。これらのことから、上部筐体ｆを下降させて下部筐体ｂと当接させた放熱の不可能な状態で、誤って通電して、内部を熱こもりの状態にして、機器を故障させたり高温部に触れて火傷をすることを防止できる。さらには、上部筐体ｆを下降させて下部筐体ｂと当接させたときに、上部筐体ｆの内側が駆動回路ユニットＣと接触しても、電源が抜けているから、上部筐体ｆに触れて感電することを防止できる。
【００２５】
次に本発明の第５の実施形態について説明する。図１１、図１２および図２０、図２１は本発明に係るプロジェクタの第５の実施形態を示し、図２０、図２１は正面図である。この実施形態は、第２の実施形態と同じく、上部筐体ｆが下部筐体ｂにより上下方向に平行状態を保ちつつ摺動自在に支持されている。図２１に示されるように、ｓは投射レンズＥに形成された取付ベースであり、この取付ベースｓの左右両端に垂直方向の孔ｍがそれぞれ形成されている。この孔ｍに対応する光学ユニットＢには、軸ｎが突設されて、孔ｍと嵌合している。軸ｎの周囲にはコイルバネｏが装着され、取付ベースｓすなわち上部筐体ｆを上方に押圧付勢している。
【００２６】
一方、プロジェクタの後面でも、図１１、図１２に示すように、上部筐体ｆがコイルバネｏにより上方に付勢されて下部筐体ｂに支持されている。こうして、プロジェクタの使用時は、上部筐体ｆが下部筐体ｂと平行状態を保ちつつ上昇し、停止した位置で、投射レンズＥの光軸が光学ユニットＢの光軸と一致するように構成されている。このように、投射レンズＥを上部筐体ｆと連動して昇降する機構として、投影時のみ上昇するようにしたことで、上部筐体ｆの外観上、投射レンズＥが上部筐体ｆから突出することがなくなり、不使用時にプロジェクタの外観を凹凸のないすっきりとした箱型に構成することが可能となる。
【００２７】
【発明の効果】
以上述べたように本発明によれば、筐体を上部筐体と下部筐体に分割するとともに、内部に胴部筐体を設けたことで、プロジェクタの使用時には、上部筐体を上昇させて、内部に放熱および冷却に必要な空間が形成され、効率の良い放熱、冷却が行われ、冷却ファンの設置数を少なくすることができる。とともに、プロジェクタの不使用時には、上部筐体を下降させて内部に不要な空間が無くなるように収縮することで、容積が最小となり運搬、保管に便利になる。
【図面の簡単な説明】
【図１】第１の実施形態の平面図である。
【図２】第１の実施形態の側面図である。
【図３】第１の実施形態の側面図である。
【図４】第１の実施形態の正面図である。
【図５】第１の実施形態の後面図である。
【図６】第１の実施形態の後面図である。
【図７】図６を拡大した断面図である。
【図８】第２の実施形態の平面図である。
【図９】第２の実施形態の側面図である。
【図１０】第２の実施形態の側面図である。
【図１１】第２の実施形態の後面図である。
【図１２】第２の実施形態の後面図である。
【図１３】第３の実施形態の側面図である。
【図１４】第３の実施形態の側面図である。
【図１５】第４の実施形態の平面図である。
【図１６】第４の実施形態の側面図である。
【図１７】第４の実施形態の側面図である。
【図１８】第４の実施形態の後面図である。
【図１９】第４の実施形態の後面図である。
【図２０】第５の実施形態の正面図である。
【図２１】第５の実施形態の正面図である。
【図２２】従来例を示す平面図である。
【図２３】従来例を示す正面図である。
【図２４】従来例を示す側面図である。
【図２５】従来例を示す後面図である。
【符号の説明】
Ａ  ランプユニット
Ｂ  光学ユニット
ｂ  下部筐体
Ｃ  駆動回路ユニット
ｄ  胴部筐体
Ｅ  投射レンズ
Ｆ  電源入力用接続端子
ｆ  上部筐体
ｇ  通風孔
Ｈ  空間
ｈ  筐体回転軸受
ｉ  回転軸
ｊ  溝付フック
Ｋ  発熱体
ｋ  突起
Ｌ  電源プラグ
ｍ  孔
ｎ  軸
ｏ  コイルバネ
ｐ  基板
ｑ  基板
ｓ  取付ベース
ｔ  溝
ｕ  伝熱板
ｖ  伝熱シート
【図１】
2004264388.tif 000003
【図２】
2004264388.tif 000004
【図３】
2004264388.tif 000005
【図４】
2004264388.tif 000006
【図５】
2004264388.tif 000007
【図６】
2004264388.tif 000008
【図７】
2004264388.tif 000009
【図８】
2004264388.tif 000010
【図９】
2004264388.tif 000011
【図１０】
2004264388.tif 000012
【図１１】
2004264388.tif 000013
【図１２】
2004264388.tif 000014
【図１３】
2004264388.tif 000015
【図１４】
2004264388.tif 000016
【図１５】
2004264388.tif 000017
【図１６】
2004264388.tif 000018
【図１７】
2004264388.tif 000019
【図１８】
2004264388.tif 000020
【図１９】
2004264388.tif 000021
【図２０】
2004264388.tif 000022
【図２１】
2004264388.tif 000023
【図２２】
2004264388.tif 000024
【図２３】
2004264388.tif 000025
【図２４】
2004264388.tif 000026
【図２５】
2004264388.tif 000027